(57)【要約】【課題】ユーザの負担を招くことなく、表示部が折り曲げられたときの画像の視認性の低下をより確実に低減することのできる技術を提供する。【解決手段】本発明の表示装置は、折り曲げ可能な表示部に画像を表示する表示装置であって、前記表示部の折り曲げを検出する検出手段と、前記検出手段で前記表示部の折り曲げが検出された場合に、前記表示部に表示されている画像の種類に応じて、前記表示部の折り曲げによる視認性の低下が抑制されるように、前記表示部に表示されている画像の配置を変更する制御手段と、を有することを特徴とする。【選択図】図１
2014035496.tif 000002
【特許請求の範囲】
【請求項１】
折り曲げ可能な表示部に画像を表示する表示装置であって、
前記表示部の折り曲げを検出する検出手段と、
前記検出手段で前記表示部の折り曲げが検出された場合に、前記表示部に表示されている画像の種類に応じて、前記表示部の折り曲げによる視認性の低下が抑制されるように、前記表示部に表示されている画像の配置を変更する制御手段と、
を有することを特徴とする表示装置。
【請求項２】
画像の種類毎に、前記表示部が折り曲げられているときの、その種類の画像の配置を表す配置情報を記憶する記憶手段をさらに有し、
前記制御手段は、前記検出手段で前記表示部の折り曲げが検出された場合に、前記配置情報に従って、前記表示部に表示されている画像の配置を変更する
ことを特徴とする請求項１に記載の表示装置。
【請求項３】
前記制御手段は、第１の種類の画像が前記表示部の折り曲げ位置を跨がないように、前記表示部に表示されている画像の配置を変更する
ことを特徴とする請求項１または２に記載の表示装置。
【請求項４】
前記制御手段は、前記表示部の折り曲げ位置で画面を分割して得られる複数の分割領域間の相対的なサイズの大小に基づいて、前記複数の分割領域の中から、前記表示部が折り曲げられているときに前記第１の種類の画像を配置する分割領域を選択する
ことを特徴とする請求項３に記載の表示装置。
【請求項５】
前記制御手段は、前記表示部に表示されている画像の配置を変更する際に、前記第１の種類の画像のサイズを、前記第１の種類の画像を配置する分割領域のサイズ以下に縮小する
ことを特徴とする請求項４に記載の表示装置。
【請求項６】
前記制御手段は、第２の種類の画像の中心位置と、前記表示部の折り曲げ位置とが一致するように、前記表示部に表示されている画像の配置を変更する
ことを特徴とする請求項１〜５のいずれか１項に記載の表示装置。
【請求項７】
前記制御手段は、第３の種類の画像の構成要素である部品画像の配置を変更する
ことを特徴とする請求項１〜６のいずれか１項に記載の表示装置。
【請求項８】
前記制御手段は、前記部品画像が前記表示部の折り曲げ位置を跨がないように、前記部品画像の配置を変更する
ことを特徴とする請求項７に記載の表示装置。
【請求項９】
前記制御手段は、前記部品画像の種類毎に、前記表示部の折り曲げ位置で画面を分割して得られる複数の分割領域間の相対的なサイズの大小に基づいて、前記複数の分割領域の中から、前記表示部が折り曲げられているときにその種類の部品画像を配置する分割領域を選択する
ことを特徴とする請求項８に記載の表示装置。
【請求項１０】
前記制御手段は、前記表示部に表示されている画像の配置を変更する際に、前記第３の種類の画像の構成要素である第１部品画像のサイズを、前記第１部品画像を配置する分割領域のサイズ以下に縮小する
ことを特徴とする請求項９に記載の表示装置。
【請求項１１】
前記制御手段は、前記表示部に表示されている画像の配置を変更する際に、前記第３の種類の画像の構成要素である複数の第２部品画像の数を、前記第２部品画像を配置する分割領域内に配置可能な数に低減する
ことを特徴とする請求項９または１０に記載の表示装置。
【請求項１２】
前記検出手段は、前記表示部の折り曲げ方向と折り曲げ角度とを検出し、
前記制御手段は、前記検出手段で前記表示部の折り曲げが検出された場合に、前記表示部に表示されている画像の種類、及び、前記検出手段で検出された折り曲げ方向と折り曲げ角度に応じて、前記表示部に表示されている画像の配置を変更する
ことを特徴とする請求項１〜１１のいずれか１項に記載の表示装置。
【請求項１３】
前記制御手段は、前記検出手段で検出された折り曲げ方向と折り曲げ角度が所定の条件を満たし、且つ、前記表示部に表示されている画像が第４の種類の画像を含む場合に、前記表示部に表示されている画像の配置を変更するとともに、予め定められた画像を前記表示部に追加表示する
ことを特徴とする請求項１２に記載の表示装置。
【請求項１４】
折り曲げ可能な表示部に画像を表示する表示装置の制御方法であって、
前記表示部の折り曲げを検出する検出ステップと、
前記検出ステップで前記表示部の折り曲げが検出された場合に、前記表示部に表示されている画像の種類に応じて、前記表示部の折り曲げによる視認性の低下が抑制されるように、前記表示部に表示されている画像の配置を変更する制御ステップと、
を有することを特徴とする表示装置の制御方法。
【請求項１５】
前記制御ステップでは、前記検出ステップで前記表示部の折り曲げが検出された場合に、記憶部に記憶されている情報であって、画像の種類毎に、前記表示部が折り曲げられているときの、その種類の画像の配置を表す配置情報に従って、前記表示部に表示されている画像の配置が変更される
ことを特徴とする請求項１４に記載の表示装置の制御方法。
【請求項１６】
前記制御ステップでは、第１の種類の画像が前記表示部の折り曲げ位置を跨がないように、前記表示部に表示されている画像の配置が変更される
ことを特徴とする請求項１４または１５に記載の表示装置の制御方法。
【請求項１７】
前記制御ステップでは、前記表示部の折り曲げ位置で画面を分割して得られる複数の分割領域間の相対的なサイズの大小に基づいて、前記複数の分割領域の中から、前記表示部が折り曲げられているときに前記第１の種類の画像を配置する分割領域が選択される
ことを特徴とする請求項１６に記載の表示装置の制御方法。
【請求項１８】
前記制御ステップでは、前記表示部に表示されている画像の配置を変更する際に、前記第１の種類の画像のサイズが、前記第１の種類の画像を配置する分割領域のサイズ以下に縮小される
ことを特徴とする請求項１７に記載の表示装置の制御方法。
【請求項１９】
前記制御ステップでは、第２の種類の画像の中心位置と、前記表示部の折り曲げ位置とが一致するように、前記表示部に表示されている画像の配置が変更される
ことを特徴とする請求項１４〜１８のいずれか１項に記載の表示装置の制御方法。
【請求項２０】
前記制御ステップでは、第３の種類の画像の構成要素である部品画像の配置が変更され
る
ことを特徴とする請求項１４〜１９のいずれか１項に記載の表示装置の制御方法。
【請求項２１】
前記制御ステップでは、前記部品画像が前記表示部の折り曲げ位置を跨がないように、前記部品画像の配置が変更される
ことを特徴とする請求項２０に記載の表示装置の制御方法。
【請求項２２】
前記制御ステップでは、前記部品画像の種類毎に、前記表示部の折り曲げ位置で画面を分割して得られる複数の分割領域間の相対的なサイズの大小に基づいて、前記複数の分割領域の中から、前記表示部が折り曲げられているときにその種類の部品画像を配置する分割領域が選択される
ことを特徴とする請求項２１に記載の表示装置の制御方法。
【請求項２３】
前記制御ステップでは、前記表示部に表示されている画像の配置を変更する際に、前記第３の種類の画像の構成要素である第１部品画像のサイズが、前記第１部品画像を配置する分割領域のサイズ以下に縮小される
ことを特徴とする請求項２２に記載の表示装置の制御方法。
【請求項２４】
前記制御ステップでは、前記表示部に表示されている画像の配置を変更する際に、前記第３の種類の画像の構成要素である複数の第２部品画像の数が、前記第２部品画像を配置する分割領域内に配置可能な数に低減される
ことを特徴とする請求項２２または２３に記載の表示装置の制御方法。
【請求項２５】
前記検出ステップでは、前記表示部の折り曲げ方向と折り曲げ角度とが検出され、
前記制御ステップでは、前記検出ステップで前記表示部の折り曲げが検出された場合に、前記表示部に表示されている画像の種類、及び、前記検出ステップで検出された折り曲げ方向と折り曲げ角度に応じて、前記表示部に表示されている画像の配置が変更される
ことを特徴とする請求項１４〜２４のいずれか１項に記載の表示装置の制御方法。
【請求項２６】
前記制御ステップでは、前記検出ステップで検出された折り曲げ方向と折り曲げ角度が所定の条件を満たし、且つ、前記表示部に表示されている画像が第４の種類の画像を含む場合に、前記表示部に表示されている画像の配置が変更されるとともに、予め定められた画像が前記表示部に追加表示される
ことを特徴とする請求項２５に記載の表示装置の制御方法。
【請求項２７】
請求項１４〜２６のいずれか１項に記載の表示装置の制御方法の各ステップをコンピュータに実行させることを特徴とするプログラム。
【発明の詳細な説明】
【技術分野】
【０００１】
本発明は、表示装置、表示装置の制御方法、及び、プログラムに関する。
【背景技術】
【０００２】
近年、ディスプレイ技術の進歩により、有機ＥＬなどのデバイスを用いて、フレキシブルに曲げたり丸めたりできる表示デバイス（表示部）が開発されている。
このような折り曲げ可能な表示部を折り曲げると、表示部に表示されていた画像の視認性が低下することがある（画像が見難くなることがある）。そのような問題に鑑みた従来技術は、例えば、特許文献１や特許文献２に開示されている。
特許文献１には、表示部の折り曲げ位置に応じて、表示部に表示されていた画像の配置を制御する技術が開示されている。
特許文献２には、表示部の折り曲げ角度に応じて、表示部に表示されていた画像の配置を制御する技術が開示されている。
【０００３】
また、折り曲げ可能な表示部に関する他の従来技術は、例えば、特許文献３に開示されている。
特許文献３には、折り曲げ位置で画面を分割して得られる２つの領域に同じ画像を表示し、折り曲げられた表示部の表と裏の両方から画像を確認可能とすることにより、ユーザの利便性の向上を図る技術が開示されている。
【先行技術文献】
【特許文献】
【０００４】
【特許文献１】特開２００６−２４３６２１号公報
【特許文献２】特開２０１０−１７５９９９号公報
【特許文献３】特開２００９−８９３２８号公報
【発明の概要】
【発明が解決しようとする課題】
【０００５】
しかしながら、特許文献１，２に開示の技術では、折り曲げ位置や折り曲げ角度のみに応じて画像の配置が変更されるため、表示している画像の種類によっては画像の視認性の低下を抑制できないことがある。また、特許文献３に開示の技術では、ユーザの利便性を向上することができないことがある。
【０００６】
例えば、写真などの画像を表示する画像ビューワのアプリケーション画像であって、複数の画像が小さくサムネイル表示され、複数の画像のうち選択された１枚の画像が大きく表示されたアプリケーション画像を表示している場合を考える。
この場合、特許文献１に開示の技術では、折り曲げ位置に応じて表示領域が縮小されるため、アプリケーション画像内の一部（例えば、サムネイル表示された複数の画像または選択された１枚の画像）が表示されなくなってしまう。
また、特許文献２に開示の技術では、折り曲げ位置に非表示領域が挿入されるため、アプリケーション画像の一部（折り曲げ位置付近）の画像が見難くなってしまう。
【０００７】
次に、特定のユーザ（例えば１人のユーザ）が操作しているＷｅｂブラウザ画像を表示している場合を考える。このようなＷｅｂブラウザ画像は、上記ユーザ（操作者）のみが確認できればよい。
特許文献３の技術では、折り曲げ位置で画面を分割して得られる２つの領域に同じ画像が表示されるため、１つの領域の表示が無駄になってしまう。また、他人に見られてはい
けない画像が表示されている場合には、２つの領域に画像が表示されることにより、他人に画像が見られる可能性が高まってしまうため、ユーザの利便性が低減してしまう。
【０００８】
なお、ユーザが画像の配置を見易い位置に変更すれば、画像の視認性を高めることができるが、そのような配置の変更はユーザの負担となってしまう。
【０００９】
そこで、本発明は、ユーザの負担を招くことなく、表示部が折り曲げられたときの画像の視認性の低下をより確実に低減することのできる技術を提供することを目的とする。
【課題を解決するための手段】
【００１０】
本発明の表示装置は、
折り曲げ可能な表示部に画像を表示する表示装置であって、
前記表示部の折り曲げを検出する検出手段と、
前記検出手段で前記表示部の折り曲げが検出された場合に、前記表示部に表示されている画像の種類に応じて、前記表示部の折り曲げによる視認性の低下が抑制されるように、前記表示部に表示されている画像の配置を変更する制御手段と、
を有することを特徴とする。
【００１１】
本発明の表示装置の制御方法は、
折り曲げ可能な表示部に画像を表示する表示装置の制御方法であって、
前記表示部の折り曲げを検出する検出ステップと、
前記検出ステップで前記表示部の折り曲げが検出された場合に、前記表示部に表示されている画像の種類に応じて、前記表示部の折り曲げによる視認性の低下が抑制されるように、前記表示部に表示されている画像の配置を変更する制御ステップと、
を有することを特徴とする。
【００１２】
本発明のプログラムは、上記表示装置の制御方法の各ステップをコンピュータに実行させることを特徴とする。
【発明の効果】
【００１３】
本発明によれば、ユーザの負担を招くことなく、表示部が折り曲げられたときの画像の視認性の低下をより確実に低減することができる。
【図面の簡単な説明】
【００１４】
【図１】実施例１に係る表示装置の概略構成の一例を示すブロック図
【図２】実施例１に係る表示用画像の一例を示す図
【図３】実施例１に係る表示用画像の見え方の一例を示す図
【図４】実施例１に係る表示装置の処理フローの一例を示すフローチャート
【図５】実施例１に係る配置情報の一例を示す図
【図６】実施例１に係る画像の配置の変更結果の一例を示す図
【図７】実施例１に係る画像の配置の変更結果の一例を示す図
【図８】実施例２に係る表示用画像の一例を示す図
【図９】実施例２に係る表示用画像の見え方の一例を示す図
【図１０】実施例２に係る配置情報の一例を示す図
【図１１】実施例２に係る画像の配置の変更結果の一例を示す図
【図１２】実施例２に係る画像の配置の変更結果の一例を示す図
【図１３】折り曲げられていないときの実施例３に係る表示部の一例を示す図
【図１４】折り曲げられているときの実施例３に係る表示部の形態の一例を示す図
【図１５】実施例３に係る表示装置の処理フローの一例を示すフローチャート
【図１６】実施例３に係る配置情報の一例を示す図
【図１７】実施例３に係る画像の配置の変更結果の一例を示す図
【図１８】図１７の形態において各分割領域に表示されている画像を示す図
【図１９】実施例３に係る画像の配置の変更結果の一例を示す図
【発明を実施するための形態】
【００１５】
＜実施例１＞
以下、本発明の実施例１に係る表示装置、表示装置の制御方法、及び、プログラムについて説明する。
図１は、本実施例に係る表示装置の概略構成の一例を示すブロック図である。
図１に示すように、表示装置１０１は、操作部１０２、制御部１０３、折り曲げ状態検出部１０４、記憶部１０５、表示制御部１０６、表示部１０７などを有する。表示装置１０１は、パーソナルコンピュータなどである。表示部１０７以外の各機能部は、例えば、表示装置１０１のＣＰＵ（不図示）がメモリ（不図示）に記録されたプログラムを実行することにより実現される。なお、表示部１０７は、表示装置１０１とは別体の装置であってもよい。
【００１６】
操作部１０２には、ユーザ操作を表す信号が入力される。具体的には、ユーザが表示装置１０１のマウスやキーボードなどを用いて表示装置１０１を操作すると、該操作に応じた信号が操作部１０２へ入力される。
そして、操作部１０２は、上記操作に応じた信号（操作内容を表す信号）を、ユーザ操作情報として制御部１０３へ出力する。ユーザ操作情報は、例えば、マウス（カーソル位置）の移動操作、マウスのクリック操作、キーボードのキー操作などを表す。
【００１７】
制御部１０３は、操作部１０２から入力されるユーザ操作情報に基づいて、表示する画像を決定し、決定した画像を表す画像情報を表示制御部１０６へ出力する。例えば、不図示の記憶装置に記憶された複数の中から、表示する画像が決定される。また、制御部１０３は、ユーザ操作情報に基づいて、実行または終了するアプリケーションを決定し、決定したアプリケーションの実行または終了を表すアプリ情報を、画像情報として表示制御部１０６へ出力する。
【００１８】
表示部１０７は、折り曲げ可能な表示部である。表示部１０７は、予め定められた位置で折り曲げ可能な表示部であってもよいし、任意の位置で折り曲げ可能な表示部（フレキシブルディスプレイ）であってもよい。表示部１０７は、表示制御部１０６から入力された表示用画像を表示する。表示部１０７は、例えば、ユーザによって折り曲げられる。
【００１９】
折り曲げ状態検出部１０４は、表示部１０７の折り曲げを検出する。本実施例では、折り曲げ状態検出部１０４は、表示部１０７が折り曲げられているか否かを検出する。そして、表示部１０７が折り曲げられている場合には、折り曲げ状態検出部１０４は、表示部１０７の折り曲げ位置を検出する。折り曲げ状態検出部１０４は、検出結果を、折り曲げ状態情報として制御部１０３へ出力する。
制御部１０３は、折り曲げ状態検出部１０４から出力された折り曲げ状態情報を、表示制御部１０６へ通知する。
なお、折り曲げ状態検出部１０４は、折り曲げ位置の他に、折り曲げ角度を検出してもよい。
なお、折り曲げ状態検出部１０４は、折り曲げ状態情報を、表示制御部１０６に直接出力してもよい。
【００２０】
記憶部１０５は、ＨＤＤやメモリ（不揮発性メモリ、揮発性メモリ）などの記憶媒体である。記憶部１０５には、例えば、アプリケーションの実行ファイル（プログラム）、画像（写真の画像、アプリケーションで使用する画像など）、音楽ファイルなどが記憶され
ている。
【００２１】
表示制御部１０６は、制御部１０３からの画像情報に応じて、記憶部１０５から画像を読み出し、読み出した画像が配置された表示用画像を生成する。そして、表示制御部１０６は、表示用画像を表示部１０７へ出力する。
例えば、制御部１０３からアプリケーションを実行するアプリ情報が入力された場合に、表示制御部１０６は、アプリ情報に応じて記憶部１０５から画像（部品画像）を読み出す。そして、表示制御部１０６は、読み出した部品画像を用いてアプリケーションの画像（アプリケーション画像）を生成し、アプリケーション画像が配置された表示用画像を生成する。
アプリケーションは、例えば、写真などの画像を表示する画像ビューワであって、複数の画像を小さくサムネイル表示し、サムネイル表示された複数の画像（サムネイル画像）のうち選択された１枚の画像（選択画像）を大きく表示する画像ビューワである。制御部１０３は、例えば、そのような画像ビューワの実行や、画像の選択指示に従ってアプリケーション画像を生成する。
【００２２】
図２は、表示用画像の一例を示す図である。具体的には、図２は、上述した画像ビューワのアプリケーション画像（第３の種類の画像）の一例を示す図である。
図２では、表示用画像（アプリケーション画像２０１）のサイズ（解像度）は、水平方向１９２０×垂直方向１０８０ピクセルである。なお、表示用画像のサイズは、これに限らない。表示用画像のサイズは、１９２０×１０８０ピクセルよりも大きくても小さくてもよい。表示用画像のアスペクト比は、１９２０×１０８０ピクセルでなくてもよい。アプリケーション画像は、表示用画像の一部の領域に配置されていてもよい。
図２では、アプリケーション画像２０１は、複数の部品画像を有する。具体的には、アプリケーション画像２０１は、構成要素として、複数のサムネイル画像、及び、選択画像を有する。複数のサムネイル画像は、サムネイルリスト領域２０２に表示される。選択画像は、選択画像領域２０３に表示される。
【００２３】
図３は、図２の表示用画像（アプリケーション画像２０１）の表示中に表示部１０７が折り曲げられた場合の、表示用画像の見え方の一例を示す図である。図３は、表示部１０７の折り曲げに応じた処理を何も行わない場合の例である。また、図３は、表示用画像の左端から１４４０ピクセルの位置で水平方向に折り曲げた場合の例である。
図３の例では、選択画像が折り曲げ位置を跨いで表示されている（選択画像領域２０３内に折り曲げ位置が存在する）。そのため、表示用画像の視認性が低下してしまう。具体的には、アプリケーション画像２０１内の選択画像の視認性が低下してしまう。即ち、選択画像が見難くなってしまう。
【００２４】
そこで、本実施例では、表示制御部１０６は、折り曲げ状態情報（折り曲げ状態検出部１０４の検出結果）に基づいて、表示部１０７に表示されている画像の配置を変更する。具体的には、表示制御部１０６は、折り曲げ状態検出部１０４で表示部１０７の折り曲げが検出された場合に、表示部１０７の折り曲げによる視認性の低下が抑制されるように、表示部１０７に表示されている画像の配置を変更する。
ここで、最適な画像の配置（表示部１０７の折り曲げによる視認性の低下を抑制するための画像の配置）は、画像の種類毎に異なる。そこで、本実施例では、表示制御部１０６は、表示されている画像の種類に応じて、表示部１０７に表示されている画像の配置を変更する。本実施例では、図２のアプリケーション画像２０１（第３の種類の画像；複数のサムネイル画像と選択画像を有するアプリケーション画像）が表示されている場合の例を説明する。表示制御部１０６は、折り曲げ状態検出部１０４で表示部１０７の折り曲げが検出され、第３の種類の画像が表示されていた場合に、第３の種類の画像の構成要素である部品画像の配置を変更する。本実施例では、表示制御部１０６は、部品画像が表示部１
０７の折り曲げ位置を跨がないように、部品画像の配置を変更する。また、表示制御部１０６は、部品画像の種類毎に、複数の分割領域間の相対的なサイズの大小に基づいて、複数の分割領域の中から、表示部１０７が折り曲げられているときにその種類の部品画像を配置する分割領域を選択する。複数の分割領域は、表示部１０７の折り曲げ位置で画面を分割して得られる複数の領域である。
【００２５】
図４に、本実施例に係る表示装置の処理フローの一例を示す。
図４の処理フローは、折り曲げ状態検出部１０４が表示部１０７の折り曲げ状態を検出し、表示制御部１０６が折り曲げ状態情報を受信したことに応じて開始される。
以下、図２のアプリケーション画像２０１が表示されている場合の例を説明する。
【００２６】
まず、Ｓ４０１において、表示制御部１０６が、折り曲げ状態検出部１０４から受信した折り曲げ状態情報（現在の折り曲げ状態を表す情報）から、表示部１０７が折り曲げられているか否かを判断する。表示部１０７が折り曲げられている場合にはＳ４０２へ処理が進められ、折り曲げられていない場合にはＳ４０４へ処理が進められる。
【００２７】
Ｓ４０２では、表示制御部１０６が、折り曲げ状態情報に含まれる情報のうち、表示部１０７の折り曲げ位置の情報から、折り曲げ位置で画面を分割して得られる各分割領域のサイズを算出する。
例えば、図３のように表示部１０７が折り曲げられている場合には、水平方向に並んだ２つの分割領域に分割されていると判断され、左側の分割領域のサイズ＝１４４０×１０８０ピクセル、右側の分割領域のサイズ＝４８０×１０８０ピクセルが算出される。
【００２８】
本実施例では、記憶部１０５に、画像の種類毎に、表示部１０７が折り曲げられているときの、その種類の画像の配置を表す配置情報が予め記憶されている。
Ｓ４０２の次に、Ｓ４０３において、表示制御部１０６が、記憶部１０５に記憶されている配置情報に従って、表示されている画像の配置を変更する。具体的には、表示制御部１０６は、Ｓ４０２で算出されたサイズと、記憶部１０５に記憶されている配置情報とに基づいて、表示されている画像の配置を変更する。そして、表示制御部１０６は、画像の配置が変更された表示用画像を生成し、出力する（表示用画像の更新）。
【００２９】
Ｓ４０４では、表示制御部１０６が、通常の配置（表示部１０７が折り曲げられていないときの配置）となるように、表示されている画像を配置する。そして、表示制御部１０６は、画像の配置が通常の配置である表示用画像を生成し、出力する。
【００３０】
アプリケーション画像２０１のような第３の種類の画像に関する配置情報の一例を、図５に示す。
図５の例では、配置情報は、部品画像の種類毎に、表示優先度、表示変更方法、最小表示領域サイズ、最大表示領域サイズを表す。
表示優先度は、対応する部品画像を配置する分割領域の相対的なサイズを表す。Ｓ４０３において、表示制御部１０６は、表示優先度が「高」である部品画像（選択画像）を、相対的なサイズが大きい分割領域に配置し、表示優先度が「低」である部品画像（サムネイル画像）を、相対的なサイズが小さい分割領域に配置する。ここで、相対的なサイズが大きい分割領域に選択画像を配置するのは、選択画像は、ユーザが大きいサイズで確認するために選択した画像であり、できるだけ大きいサイズで表示することが好ましいためである。
また、Ｓ４０３において、表示制御部１０６は、部品画像の表示を、当該部品画像を配置する分割領域のサイズに合わせて変更する。表示変更方法は、部品画像の表示を変更する際の変更方法を表す。例えば、表示制御部１０６は、表示変更方法が「スケーリング」である部品画像（第１部品画像）のサイズを、当該部品画像を配置する分割領域のサイズ
に合わせて拡大または縮小する。また、表示制御部１０６は、表示変更方法が「部品数変更」である複数の部品画像（第２部品画像）の数を、当該部品画像を配置する分割領域のサイズに合わせて増減する。具体的には、表示制御部１０６は、第１部品画像のサイズが第１部品画像を配置する分割領域のサイズよりも大きい場合に、第１部品画像のサイズを、第１部品画像を配置する分割領域のサイズ以下に縮小する。また、表示制御部１０６は、複数の第２部品画像の数が第２部品画像を配置する分割領域内に配置可能な数を超えている場合に、複数の第２部品画像の数を、第２部品画像を配置する分割領域内に配置可能な数に低減する。
最小表示領域サイズは、対応する選択画像を表示する領域の最小サイズを表す。最大表示領域サイズは、対応する選択画像を表示する領域の最大サイズを表す。表示制御部１０６は、表示領域（選択画像領域やサムネイルリスト領域）のサイズが、最小表示領域サイズ以上、最大表示領域サイズ以下となるように、スケーリングや部品数変更を行う。
【００３１】
図６（Ａ），６（Ｂ），７は、表示部１０７が折り曲げられた場合における画像の配置の変更結果の一例を示す。
図６（Ａ）は、表示用画像の左端から１４４０ピクセルの位置で水平方向に折り曲げた場合の例である。図６（Ａ）では、左側の分割領域のサイズが、右側の分割領域のサイズよりも大きい。そのため、左側の分割領域に選択画像がスケーリング表示される。そして、右側の分割領域に、その分割領域内に表示可能な数のサムネイル画像が表示される。
図６（Ｂ）は、表示用画像の左端から１２００ピクセルの位置で水平方向に折り曲げた場合の例である。図６（Ｂ）では、図６（Ａ）と同様に、左側の分割領域に選択画像がスケーリング表示される。そして、右側の分割領域に、その分割領域内に表示可能な数のサムネイル画像が表示される。ここで、図６（Ｂ）では、図６（Ａ）よりも、左側の分割領域のサイズが小さい。そのため、図６（Ｂ）では、図６（Ａ）よりも小さい選択画像が表示される。また、図６（Ｂ）では、図６（Ａ）よりも、右側の分割領域のサイズが大きい。そのため、図６（Ｂ）では、図６（Ａ）よりも多くのサムネイル画像が表示される。
図７は、表示部１０７を２か所で折り曲げた場合の例である。図７に示すように、複数の折り曲げ位置が存在する場合でも、相対的なサイズが大きい分割領域に選択画像が配置され、相対的なサイズが小さい分割領域にサムネイル画像が配置される。具体的には、図７の例では、分割領域が３つ存在する。そして、３つの分割領域のうち、最もサイズの大きい分割領域に選択画像が配置され、残りの２つの分割領域にサムネイル画像が配置される。なお、サムネイル画像は２つの分割領域（選択画像が配置される分割領域以外の分割領域）のいずれか一方にのみ配置されてもよい。折り曲げ位置は２か所より多くてもよい。
【００３２】
以上述べたように、本実施例によれば、表示部が折り曲げられた際に、表示部に表示されている画像の種類に応じて、表示部に表示されている画像の配置が自動で変更される。それにより、ユーザの負担を招くことなく、表示部が折り曲げられたときの画像の視認性の低下をより確実に低減することができる。ひいては、ユーザの利便性を向上することができる。
また、本実施例では、複数の分割領域間の相対的なサイズの大小に基づいて、部品画像を配置する分割領域が選択される。それにより、複数の分割領域のサイズを考慮しない場合よりも、視認性の低下をより確実に低減することができる。
なお、本実施例では、表示部を折り曲げた場合の例を説明したが、表示部を所定の角度以上湾曲させた場合に、表示部が折り曲げられたとみなしてもよい。
【００３３】
＜実施例２＞
以下、本発明の実施例２に係る表示装置、表示装置の制御方法、及び、プログラムについて説明する。
実施例１では、１つの種類（第３の種類）の画像が表示されている場合の例を説明した
。本実施例では、複数種類の画像が表示されている場合の例を説明する。
本実施例に係る表示装置の構成は、実施例１（図１）の構成と同様であるため、その説明は省略する。
【００３４】
図８は、表示用画像の一例を示す図である。
図８では、表示用画像８００のサイズ（解像度）は、１９２０×１０８０ピクセルである。そして、表示用画像８００内には、第１アプリケーション画像８０１、第２アプリケーション画像８０２、及びアイコン画像８０３が配置されている。アイコン画像８０３は、例えば、ユーザがアプリケーションの実行を指示するためのアイコン画像である。アイコン画像８０３は、１つのアイコン画像であってもよいし、複数のアイコン画像からなるアイコン画像群であってもよい。
【００３５】
図９は、図８の表示用画像８００の表示中に表示部１０７が折り曲げられた場合の、表示用画像の見え方の一例を示す図である。図９は、表示部１０７の折り曲げに応じた処理を何も行わない場合の例である。また、図８は、表示用画像の左端から１６８０ピクセルの位置で水平方向に折り曲げた場合の例である。
図９の例では、第２アプリケーション画像８０２が折り曲げ位置を跨いで表示されている。第１アプリケーション画像８０１と第２アプリケーション画像８０２は、写真やイラストの画像などである。そのため、表示用画像の視認性が低下してしまう。具体的には、第２アプリケーション画像８０２の視認性が低下してしまう。即ち、第２アプリケーション画像８０２が見難くなってしまう。
以後、第１アプリケーション画像８０１、第２アプリケーション画像８０２、アイコン画像８０３など、画像内に折り曲げ位置が存在する場合に視認性が低下してしまう画像を、「第１の種類の画像」と記載する。
【００３６】
そこで、本実施例では、表示制御部１０６は、第１の種類の画像が表示部１０７の折り曲げ位置を跨がないように、表示部１０７に表示されている画像の配置を変更する。また、表示制御部１０６は、複数の分割領域間の相対的なサイズの大小に基づいて、複数の分割領域の中から、表示部１０７が折り曲げられているときに第１の種類の画像を配置する分割領域を選択する。
【００３７】
本実施例に係る表示装置の処理フローは、実施例１（図４）の処理フローと同様である。
本実施例では、図１０に示す配置情報が、記憶部１０５に予め記憶されているものとする。図１０の例では、表示部１０７が折り曲げられているときの画像の配置として、配置変更パターンが用いられている。
【００３８】
図４のＳ４０３において、表示制御部１０６は、配置変更パターンが「面積広い」である画像（第１アプリケーションの画像と第２アプリケーションの画像；第１アプリケーション画像と第２アプリケーション画像）を、相対的なサイズが大きい分割領域に配置する。
また、表示制御部１０６は、配置変更パターンが「面積狭い」である画像（アイコンの画像；アイコン画像）を、相対的なサイズが小さい分割領域に配置する。
【００３９】
また、表示制御部１０６は、配置変更パターンが「見開き表示」である画像（ドキュメントビューワの画像；テキスト画像；第２の種類の画像）の中心位置と、表示部１０７の折り曲げ位置とが一致するように、表示部１０７に表示されている画像の配置を変更する。
図１１に、表示部１０７が折り曲げられていた場合におけるテキスト画像１１０１（第２の種類の画像）の配置の変更結果の一例を示す。
テキスト画像の中心位置と折り曲げ位置とを一致させることにより、見開き状態の本のような表示を行うことができる。
【００４０】
また、配置変更パターンが「アプリ内配置変更」である画像（画像ビューワの画像）は、実施例１で説明した第３の種類の画像である。配置変更パターン「アプリ内配置変更」には図５に示すような情報が関連付けられている。そして、表示制御部１０６は、配置変更パターンが「アプリ内配置変更」である画像については、実施例１で説明したように、当該画像を構成する部品画像の配置を変更する。
【００４１】
図１２は、図８の表示用画像８００の表示中に表示部１０７が折り曲げられた場合における画像の配置の変更結果の一例を示す。
図１２は、表示用画像８００の左端から１６８０ピクセルの位置で水平方向に折り曲げた場合の例である。
図１２の例では、左側の分割領域のサイズが、右側の分割領域のサイズよりも大きい。そのため、図１０の配置情報に従って、第１アプリケーション画像８０１と第２アプリケーション画像８０２が左側の分割領域に表示され、アイコン画像８０３が右側の分割領域に表示される。
【００４２】
以上述べたように、本実施例によれば、表示部が折り曲げられた際に、表示部に表示されている画像の種類に応じて、表示部に表示されている画像の配置が自動で変更される。それにより、複数の画像が表示されていても、ユーザの負担を招くことなく、表示部が折り曲げられたときの画像の視認性の低下をより確実に低減することができる。ひいては、ユーザの利便性を向上することができる。
なお、本実施例では、配置情報が、第１アプリケーション、第２アプリケーション、ドキュメントビューワ、画像ビューワなどのアプリケーション毎に配置を表す情報を例示したが、配置情報はこれに限らない。例えば、配置情報は、アプリケーション毎ではなく、アプリケーションの種類毎に配置を表す情報であってもよい。配置情報は、画像の種類毎に配置を表す情報であれば、どのような情報であってもよい。
なお、第１の種類の画像のサイズは、当該画像を配置する分割領域のサイズに合わせて拡大または縮小されることが好ましい。具体的には、第１の種類の画像のサイズが当該画像を配置する分割領域のサイズよりも大きい場合に、当該画像のサイズが、当該画像を配置する分割領域のサイズ以下に縮小されることが好ましい。そのような構成にすれば、第１の種類の画像の一部が表示されなかったり、第１の種類の画像が表示部の折り曲げ位置を跨いだりすることを防ぐことができる。
【００４３】
＜実施例３＞
以下、本発明の実施例３に係る表示装置、表示装置の制御方法、及び、プログラムについて説明する。
実施例１，２では、表示部に表示されている画像の種類と、表示部の折り曲げ位置とに応じて、表示部に表示されている画像の配置を変更する例を説明した。本実施例では、表示部に表示されている画像の種類、表示部の折り曲げ方向、及び、表示部の折り曲げ角度に応じて、表示部に表示されている画像の配置を変更する例を説明する。また、本実施例では、表示部が１か所で折り曲げられる場合の例を説明する。
本実施例に係る表示装置の構成は、実施例１（図１）の構成と同様である。しかし、本実施例では、折り曲げ状態検出部１０４は、表示部１０７が折り曲げられている場合に、表示部１０７の折り曲げ方向と折り曲げ角度を検出する。本実施例では、表示部の背面側の角度であって、折り曲げによって得られた分割領域間の角度を、折り曲げ角度とする。
【００４４】
図１３は、折り曲げられていないときの表示部１０７の形態の一例を示す。
図１３の例では、表示部１０７は、水平方向の中心位置で水平方向に折り曲げ可能な構
成を有する。そして、表示部１０７を折り曲げることにより、表示部１０７の画面は、水平方向に並んだ２つの分割領域１３０１，１３０２に分割される。
ここで、図中の矢印で示す水平方向が垂直方向となるように表示部１０７が使用（設置）されることがある。そのような使い方がされているときには、表示部１０７は、垂直方向の中心位置で垂直方向に折り曲げることができる。
なお、表示部１０７は、フレキシブルディスプレイのように、表示部１０７の向きによらず水平方向と垂直方向の両方に折り曲げ可能な構成を有していてもよい。
【００４５】
図１４（Ａ）〜１４（Ｄ）は、折り曲げられているときの表示部の形態の一例を示す。
図１４（Ａ）では、表示部１０７は水平方向に折り曲げられており、その折り曲げ角度１３０３は１８０度未満である。
図１４（Ｂ）では、表示部１０７は垂直方向に折り曲げられており、その折り曲げ角度１３０３は１８０度未満である。
図１４（Ｃ）では、表示部１０７は水平方向に折り曲げられており、その折り曲げ角度１３０３は１８０度より大きい。
図１４（Ｄ）では、表示部１０７は垂直方向に折り曲げられており、その折り曲げ角度１３０３は１８０度より大きい。
このように、表示部１０７は、折り曲げ方向と折り曲げ角度によって様々な形態をとる。そして、最適な画像の配置は、表示部１０７の形態毎に異なる。
【００４６】
そこで、本実施例では、表示制御部１０６は、折り曲げ状態検出部１０４で表示部１０７の折り曲げが検出された場合に、表示部１０７に表示されている画像の種類、及び、検出された折り曲げ方向と折り曲げ角度に応じて、表示部１０７に表示されている画像の配置を変更する。
【００４７】
図１５に、本実施例に係る表示装置の処理フローの一例を示す。
図１５の処理フローは、折り曲げ状態検出部１０４が表示部１０７の折り曲げ状態を検出し、表示制御部１０６が折り曲げ状態情報を受信したことに応じて開始される。折り曲げ状態検出部１０４は、折り曲げ角度が変化したり、表示部１０７の向き（折り曲げ方向）が変化したりした際に、折り曲げ状態を検出する。
【００４８】
まず、Ｓ１４０１において、表示制御部１０６が、折り曲げ状態検出部１０４から受信した折り曲げ状態情報（現在の折り曲げ状態を表す情報）から、表示部１０７の形態（折り曲げ角度と折り曲げ方向）を判断する。
【００４９】
次に、Ｓ１４０２において、表示制御部１０６が、Ｓ１４０１の判断結果と、記憶部１０５に記憶されている配置情報とに基づいて、画像の配置の変更が必要か否かを判定する。画像の配置の変更が必要である場合にはＳ１４０３に処理が進められ、画像の配置の変更が不要である場合にはＳ１４０４に処理が進められる。
【００５０】
Ｓ１４０３では、表示制御部１０６が、Ｓ１４０１の判断結果と、記憶部１０５に記憶されている配置情報とに基づいて、表示されている画像の配置を変更する。そして、表示制御部１０６は、画像の配置が変更された表示用画像を生成し、出力する（表示用画像の更新）。
【００５１】
Ｓ１４０４では、表示制御部１０６が、通常の配置（表示部１０７が折り曲げられていないときの配置）となるように、表示されている画像を配置する。そして、表示制御部１０６は、画像の配置が通常の配置である表示用画像を生成し、出力する。
【００５２】
図１６に、配置情報の一例を示す。
図１６の例では、配置情報は、画像の種類、折り曲げ角度、及び、折り曲げ方向の組み合わせ毎に、配置変更パターンを表す。
【００５３】
Ｓ１４０２において、表示制御部１０６は、表示されている画像、現在の折り曲げ角度、及び、現在の折り曲げ方向の組み合わせに対応する組み合わせ（対応組み合わせ）が、配置情報内に存在するか否かを判断する。そして、表示制御部１０６は、対応組み合わせが配置情報内に存在する場合に、画像の配置の変更が必要であると判定し、対応組み合わせが配置情報内に存在しない場合に、画像の配置の変更が不要であると判定する。
【００５４】
Ｓ１４０３において、表示されている画像が画像ビューワの画像であり、折り曲げ角度が１２０度未満であり、且つ、折り曲げ方向が垂直方向である場合に、表示制御部１０６は「同一画面表示」を行う。「同一画面表示」では、２つの分割領域のそれぞれに同じ画像が表示（配置）される。そのため、表示されている画像が画像ビューワの画像であり、折り曲げ角度が１２０度未満であり、且つ、折り曲げ方向が垂直方向である場合には、当該画像が、２つの分割領域のそれぞれに表示される。
折り曲げ角度が１２０度未満であり、且つ、折り曲げ方向が垂直方向である場合には、或るユーザが一方の分割領域のみを見て、他のユーザが他方の分割領域のみを見るように、表示部１０７が使用されている可能性が高い。そこで、本実施例では、表示されている画像が画像ビューワの画像であり、折り曲げ角度が１２０度未満であり、且つ、折り曲げ方向が垂直方向である場合に「同一画面表示」を行う。それにより、複数のユーザに同じ画像ビューワの画像を見せることができる。
表示されている画像が画像ビューワの画像であり、折り曲げ角度が８０度未満であり、且つ、折り曲げ方向が水平方向である場合にも、「同一画面表示」が行われる。
【００５５】
また、Ｓ１４０３において、表示されている画像がＷｅｂブラウザの画像であり、折り曲げ角度が１２０度未満であり、且つ、折り曲げ方向が垂直方向である場合には、表示制御部１０６は「片画面表示」を行う。「片画面表示」では、２つの分割領域の一方にのみ画像が表示（配置）される。そのため、表示されている画像がＷｅｂブラウザの画像であり、折り曲げ角度が１２０度未満であり、且つ、折り曲げ方向が垂直方向である場合には、当該画像が、２つの分割領域の一方にのみ表示される。
一部のユーザ（例えば１人のユーザ）が見るＷｅｂブラウザの画像は、プライバシー保護の観点から、他人から見られないように表示することが好ましい。そこで、本実施例では、表示されている画像がＷｅｂブラウザの画像であり、折り曲げ角度が１２０度未満であり、且つ、折り曲げ方向が垂直方向である場合に「片画面表示」を行う。それにより、Ｗｅｂブラウザの画像が他人に見られる可能性を低減することができる。
表示されている画像がＷｅｂブラウザの画像であり、折り曲げ角度が１２０度未満であり、且つ、折り曲げ方向が水平方向である場合にも、「片画面表示」が行われる。
【００５６】
また、Ｓ１４０３において、表示されている画像がＷｅｂブラウザの画像であり、折り曲げ角度が１８０度以上であり、且つ、折り曲げ方向が垂直方向である場合には、表示制御部１０６は「片画面キーボード表示」を行う。「片画面キーボード表示」では、表示されている画像が、２つの分割領域の一方に表示され、キーボード画像が、２つの分割領域の他方に追加表示される。そのため、表示されている画像がＷｅｂブラウザの画像であり、折り曲げ角度が１８０度以上であり、且つ、折り曲げ方向が垂直方向である場合には、当該画像が２つの分割領域の一方に表示され、キーボード画像が２つの分割領域の他方に追加表示される。キーボード画像は、画面をキーボードとして機能させるために使用される画像である。
表示されている画像がＷｅｂブラウザの画像であり、折り曲げ角度が１８０度以上であり、且つ、折り曲げ方向が垂直方向である場合には、ユーザがインターネットを利用して情報を調べている可能性が高い。そのため、そのような場合には、ユーザがキーボードを
使用する可能性が高い。そこで、本実施例では、表示されている画像がＷｅｂブラウザの画像であり、折り曲げ角度が１８０度以上であり、且つ、折り曲げ方向が垂直方向である場合に、「片画面キーボード表示」を行う。それにより、キーボード画像の表示指示をユーザが行う必要が無くなり、ユーザの利便性が向上する。
【００５７】
また、Ｓ１４０３において、表示されている画像がテキストエディタの画像であり、折り曲げ角度が１２０度未満であり、且つ、折り曲げ方向が垂直方向である場合には、表示制御部１０６は「片画面表示」を行う。
テキストエディタの画像は、秘密保全の観点から、他人から見られないように表示することが好ましい。そこで、本実施例では、表示されている画像がテキストエディタの画像であり、折り曲げ角度が１２０度未満であり、且つ、折り曲げ方向が垂直方向である場合に「片画面表示」を行う。それにより、テキストエディタの画像が他人に見られる可能性を低減することができる。
【００５８】
なお、表示されていた画像、表示部１０７の形態、追加表示する画像、配置変更パターンの関係は、上述したものに限らない。例えば、表示されている画像が画像ビューワの画像であり、折り曲げ角度が１２０度未満であり、且つ、折り曲げ方向が垂直方向である場合に、「同一画面表示」を行うとともに、テキストエディタの画像を追加表示してもよい。
検出された折り曲げ方向と折り曲げ角度が所定の条件を満たし、且つ、表示部１０７に表示されている画像が特定の種類（第４の種類）の画像を含む場合に、予め定められた画像が追加表示されることが好ましい。具体的には、上記予め定められた画像として、ユーザが追加表示する可能性の高い画像を追加表示することが好ましい。そのような構成にすれば、ユーザの利便性が向上する。
【００５９】
図１７は、表示部１０７が折り曲げられた場合における画像の配置の変更結果の一例を示す。図１８は、図１７の形態において各分割領域に表示されている画像を示す図である。
図１７は、表示されている画像が画像ビューワの画像とテキストエディタの画像であり、折り曲げ角度が１２０度未満であり、且つ、折り曲げ方向が垂直方向である場合の例である。この場合、配置情報に従って、図１７，１８に示すように、２つの分割領域のそれぞれに画像ビューワの画像が表示され、２つの分割領域の一方にテキストエディタの画像が表示される。
図１９は、表示部１０７が折り曲げられた場合における画像の配置の変更結果の一例を示す。
図１９は、表示されている画像がＷｅｂブラウザの画像であり、折り曲げ角度が１８０度以上であり、且つ、折り曲げ方向が垂直方向である場合の例である。この場合、配置情報に従って、図１９に示すように、２つの分割領域の一方（上側）にＷｅｂブラウザの画像が表示され、２つの分割領域の他方（下側）にキーボード画像が追加表示される。
【００６０】
以上述べたように、本実施例によれば、表示されている画像の種類、表示部の折り曲げ位置、及び、表示部の折り曲げ角度に応じて、表示されている画像の配置が自動で変更される。それにより、画像の種類及び表示部の形態に応じた最適な配置で画像を表示することができる。その結果、ユーザの負担を招くことなく、表示部が折り曲げられたときの画像の視認性の低下をより確実に低減することができる。ひいては、ユーザの利便性を向上することができる。
また、本実施例によれば、検出された折り曲げ方向と折り曲げ角度が所定の条件を満たし、且つ、表示部に表示されている画像が第４の種類の画像を含む場合に、予め定められた画像が追加表示される。それにより、ユーザが予め定められた画像を追加表示する操作を行わなくて済むため、ユーザの利便性が向上する。
【符号の説明】
【００６１】
１０１  表示装置
１０４  状態検出部
１０６  表示制御部
【図１】
2014035496.tif 000003
【図２】
2014035496.tif 000004
【図３】
2014035496.tif 000005
【図４】
2014035496.tif 000006
【図５】
2014035496.tif 000007
【図６】
2014035496.tif 000008
【図７】
2014035496.tif 000009
【図８】
2014035496.tif 000010
【図９】
2014035496.tif 000011
【図１０】
2014035496.tif 000012
【図１１】
2014035496.tif 000013
【図１２】
2014035496.tif 000014
【図１３】
2014035496.tif 000015
【図１４】
2014035496.tif 000016
【図１５】
2014035496.tif 000017
【図１６】
2014035496.tif 000018
【図１７】
2014035496.tif 000019
【図１８】
2014035496.tif 000020
【図１９】
2014035496.tif 000021